(57)【要約】    【課題】  本発明は、多チャンネル放送により受信した複数の映像の中から所望の画像を容易にキャプチャすることができ、その画像を印刷装置に出力することができる印刷画像出力装置を提供する。    【解決手段】  デジタルテレビ１０２により多チャンネル放送を受信してユーザが所定のチャンネルをモニタ画面で視聴している際に、当該ユーザが印刷候補画像表示指示を出した瞬間に、予め設定された印刷候補画像表示方法に基づいて、ユーザ視聴チャンネルを含む多チャンネル放送を構成するチャンネル映像の中からキャプチャされた複数の画像を、ユーザ視聴チャンネルの映像と共に表示部２０９に表示する。【選択図】      図８
2006197031.tif 000002
【特許請求の範囲】
【請求項１】
少なくとも１つの映像を入力する映像入力手段と、
前記入力された映像のうちの１つを表示する映像表示手段と、
ユーザからの指示を入力する指示入力手段と、
前記入力された映像のうちの少なくとも１つから画像を生成する画像生成手段と、
前記生成された画像を、前記ユーザからの指示に応じて、前記表示されている映像に重ねて表示する画像表示手段と、
前記表示された画像の中から前記ユーザが指定したものを出力する画像出力手段とを有することを特徴とする印刷画像出力装置。
【請求項２】
前記画像表示手段は、前記入力された複数の映像から同時刻に生成された画像をそれぞれ表示することを特徴とする請求項１記載の印刷画像出力装置。
【請求項３】
前記画像表示手段は、前記入力された複数の映像から、前記ユーザの指示が入力された時点で生成された画像と、当該時点から所定の間隔で前後する時刻に生成された画像とをそれぞれ表示することを特徴とする請求項１記載の印刷画像出力装置。
【請求項４】
前記画像表示手段は、前記ユーザの指示が入力された時点から所定の間隔で時間が経過するごとに生成された画像を複数表示することを特徴とする請求項３記載の印刷画像出力装置。
【請求項５】
前記画像表示手段は、前記ユーザの指示が入力された時点から所定の間隔で以前に生成された画像を複数表示することを特徴とする請求項３記載の印刷画像出力装置。
【請求項６】
前記画像表示手段は、前記生成された画像を記憶装置に逐次記憶し、当該記憶された画像を読み出して表示することを特徴とする請求項１乃至５のいずれか１項に記載の印刷画像出力装置。
【請求項７】
前記画像表示手段は、前記生成された画像を所定の間隔で表示するときは、時間的に古い画像から新しい画像の順に表示することを特徴とする請求項１乃至６のいずれか１項に記載の印刷画像出力装置。
【請求項８】
前記画像表示手段は、前記生成された画像のうち、互いに異なる撮像装置により撮影された映像から生成されたものを表示することを特徴とする請求項１乃至７のいずれか１項に記載の印刷画像出力装置。
【請求項９】
前記画像表示手段は、前記生成された画像を複数表示するときは、当該表示すべき複数の画像を当該画像中の被写体の向きに合わせて配置して表示することを特徴とする請求項１又は２記載の印刷画像出力装置。
【請求項１０】
前記画像出力手段は、前記画像を印刷画像として印刷装置に出力して印刷させることを特徴とする請求項１乃至９のいずれか１項に記載の印刷画像出力装置。
【請求項１１】
表示装置と記憶装置とを備える印刷画像出力装置の制御方法において、
少なくとも１つの映像を入力する映像入力工程と、
前記入力された映像のうちの１つを前記表示装置に表示する映像表示工程と、
ユーザからの指示を入力する指示入力工程と、
前記入力された映像のうちの少なくとも１つから画像を生成する画像生成工程と、
前記生成された画像を、前記ユーザからの指示に応じて、前記表示装置に表示されている映像に重ねて表示する画像表示工程と、
前記表示された画像の中から前記ユーザが指定したものを出力する画像出力工程とを有することを特徴とする制御方法。
【請求項１２】
前記画像表示工程は、前記入力された複数の映像から同時刻に生成された画像をそれぞれ表示することを特徴とする請求項１１記載の制御方法。
【請求項１３】
前記画像表示工程は、前記入力された複数の映像から、前記ユーザの指示が入力された時点で生成された画像と、当該時点から所定の間隔で前後する時刻に生成された画像とをそれぞれ表示することを特徴とする請求項１１記載の制御方法。
【請求項１４】
前記画像表示工程は、前記ユーザの指示が入力された時点から所定の間隔で時間が経過するごとに生成された画像を複数表示することを特徴とする請求項１３記載の制御方法。
【請求項１５】
前記画像表示工程は、前記ユーザの指示が入力された時点から所定の間隔で以前に生成された画像を複数表示することを特徴とする請求項１３記載の制御方法。
【請求項１６】
前記画像表示工程は、前記生成された画像を前記記憶装置に逐次記憶し、当該記憶された画像を読み出して表示することを特徴とする請求項１１乃至１５のいずれか１項に記載の制御方法。
【請求項１７】
前記画像表示工程は、前記生成された画像を所定の間隔で表示するときは、時間的に古い画像から新しい画像の順に表示することを特徴とする請求項１１乃至１６のいずれか１項に記載の制御方法。
【請求項１８】
前記画像表示工程は、前記生成された画像のうち、互いに異なる撮像装置により撮影された映像から生成されたものを表示することを特徴とする請求項１１乃至１７のいずれか１項に記載の制御方法。
【請求項１９】
前記画像表示工程は、前記生成された画像を複数表示するときは、当該表示すべき複数の画像を当該画像中の被写体の向きに合わせて配置して表示することを特徴とする請求項１１又は１２記載の制御方法。
【請求項２０】
前記画像出力工程は、前記画像を印刷画像として印刷装置に出力して印刷させることを特徴とする請求項１１乃至１９のいずれか１項に記載の制御方法。
【請求項２１】
請求項１１乃至２０のいずれか１項に記載の制御方法をコンピュータに実行させるためのプログラム。
【発明の詳細な説明】
【技術分野】
【０００１】
本発明は、印刷画像出力装置及びその制御方法、並びにプログラムに関し、特に、テレビや防犯カメラの映像のキャプチャ画面の表示及び印刷を行う印刷画像出力装置及びその制御方法、並びにプログラムに関するものである。
【背景技術】
【０００２】
近年、デジタルテレビ放送の開始によりチャンネル数が増え、さまざまな映像を楽しむことができるようになった。特に、スポーツの生中継では、従来、複数のカメラからの映像を切り替えて１つのチャンネルから放送していたが、多チャンネル化によって複数のカメラの映像ごとにチャンネルを割り当て、複数のカメラにより撮影された複数の映像を同時に放送する多チャンネル放送が可能になった。このような多チャンネル放送により、ある試合の放送をチャンネルを切り替えるだけでユーザの好みの瞬間に好みの角度から映像を楽しむことができるようになった。
【０００３】
なお、先行技術文献情報として記載すべきものがなく、関連する技術分野における文献公知発明についても見いだすことができなかった。
【発明の開示】
【発明が解決しようとする課題】
【０００４】
しかしながら、モニタ画面に１つのチャンネルの映像しか映せない一般的なテレビでは、スポーツの多チャンネル放送を視聴していて、なおかつ多チャンネル放送を構成する複数のチャンネル映像から複数の画像をキャプチャして印刷する場合、モニタ画面に表示されていない映像をユーザの好みタイミングでキャプチャして印刷することは困難である。
【０００５】
そこで、本発明は、多チャンネル放送により受信した複数の映像の中から所望の画像を容易にキャプチャすることができ、その画像を印刷装置に出力することができる印刷画像出力装置及びその制御方法、並びにプログラムを提供することを目的とする。
【課題を解決するための手段】
【０００６】
上記目的を達成するために、請求項１記載の印刷画像出力装置は、少なくとも１つの映像を入力する映像入力手段と、前記入力された映像のうちの１つを表示する映像表示手段と、ユーザからの指示を入力する指示入力手段と、前記入力された映像のうちの少なくとも１つから画像を生成する画像生成手段と、前記生成された画像を、前記ユーザからの指示に応じて、前記表示されている映像に重ねて表示する画像表示手段と、前記表示された画像の中から前記ユーザが指定したものを出力する画像出力手段とを有することを特徴とする。
【０００７】
上記目的を達成するために、請求項１１記載の印刷画像出力装置の制御方法は、表示装置と記憶装置とを備える印刷画像出力装置の制御方法において、少なくとも１つの映像を入力する映像入力工程と、前記入力された映像のうちの１つを前記表示装置に表示する映像表示工程と、ユーザからの指示を入力する指示入力工程と、前記入力された映像のうちの少なくとも１つから画像を生成する画像生成工程と、前記生成された画像を、前記ユーザからの指示に応じて、前記表示装置に表示されている映像に重ねて表示する画像表示工程と、前記表示された画像の中から前記ユーザが指定したものを出力する画像出力工程とを有することを特徴とする。
【発明の効果】
【０００８】
本発明によれば、入力された映像のうちの１つを表示し、入力された映像のうちの少なくとも１つから画像を生成し、生成された画像を、ユーザからの指示に応じて、表示されている映像に重ねて表示し、表示された画像の中からユーザが指定したものを出力するので、例えば、多チャンネル放送等により受信した複数の映像の中から所望の画像を容易にキャプチャすることができ、その画像を印刷装置に出力することができる。
【発明を実施するための最良の形態】
【０００９】
以下、本発明の実施の形態について図面を参照して詳細に説明する。
【００１０】
図１は、本発明の実施の形態に係る印刷画像出力装置を備えるシステムの全体構成を示す概略図である。
【００１１】
図１において、１０１は多チャンネル放送を行う放送局であり、１０２は放送局１０１から送信されたテレビ放送データを受信して映像を表示するデジタルテレビ（印刷画像出力装置）であり、１０３はデジタルテレビ１０２に接続され、当該デジタルテレビ１０２から出力される画像を印刷するプリンタである。
【００１２】
図２は、図１のデジタルテレビ１０２の内部構成を示す図である。
【００１３】
図２において、テレビ放送データ受信部２０１は、放送局１０１から送られるテレビ放送データを受信し、チューナ部２０２に送信する手段を備える。
【００１４】
チューナ部２０２は、チャンネルを選択する手段であり、後述するユーザインターフェース部２０６で設定されたユーザ視聴チャンネル（ユーザが視聴するチャンネル）のテレビ放送データを受信するための調整を行い、復号部２０３に出力する。また、ユーザが多チャンネル放送を視聴する場合、多チャンネル放送を構成するチャンネルの中で、ユーザ視聴チャンネルを除く残りのチャンネル情報を復号部２０３から受け取り、それらのチャンネルについてもテレビ放送データを受信するための調整を行って復号部２０３に出力する。
【００１５】
ユーザインターフェース部２０６では、チャンネルボタンやキー等を含むユーザが視聴するチャンネルを入力するためのチャンネル入力手段と、印刷する候補の画像の表示指示を入力するための印刷候補画像表示指示入力手段と、表示された印刷候補画像の中からプリンタ１０３に出力する画像の指示を入力するための画像指示入力手段とを備える。
【００１６】
画像表示出力設定記憶部２０７は、ユーザインターフェース部２０６で入力された印刷候補画像の表示方法の設定や、前回の出力画像の設定を保存する。
【００１７】
復号部２０３は、チューナ部２０２から、ユーザ視聴チャンネルの放送データやその他の多チャンネル放送データなど複数のテレビ放送データを一度に映像データ、音声データ、その他のデータに分離し、各データを復号する手段を備える。ユーザ視聴チャンネルが多チャンネル放送の一部のチャンネルであるときは、ユーザ視聴チャンネルのテレビ放送データから分離して復号したその他のデータの中から、多チャンネル放送の中でユーザ視聴チャンネルを除くその他のチャンネル情報をチューナ部２０２に送り返す。
【００１８】
画像生成部２０４は、復号部２０３で復号したユーザ視聴チャンネルの映像データや、その他の多チャンネル放送を構成する複数チャンネルの複数の映像データから、映像のキャプチャ画像を連続的に生成する手段を備える。
【００１９】
画像記憶部２０５は、画像生成部２０４で連続的に生成されたキャプチャ画像を記憶する。但し、すべてのキャプチャ画像を記憶することは困難であるため、画像記憶部２０５の記憶容量が一杯になると時間的に古い画像は消去され、空いたところに新しい画像を記憶する。
【００２０】
映像データ処理部２０８は、復号部２０６で復号されたユーザ視聴チャンネルの映像データを映像として表示部２０９に表示させるために必要な信号処理手段を備える。また、ユーザインターフェース部２０６から印刷候補画像表示指示があったときは、画像表示出力設定記憶部２０７に記憶されている後述の印刷候補画像表示方法にしたがって、画像記憶部２０５に記憶された印刷候補画像の数枚を映像と共に表示部２０９に表示させるために必要な信号処理手段を備える。
【００２１】
印刷画像出力部２１３は、ユーザが指示した印刷画像をプリンタ１０３など印刷手段に出力する。制御部２１４は、図２に示す全ブロックに接続され、これらの制御を行う手段を備える。
【００２２】
音声データ処理部２１０は、復号部２０３で復号されたユーザ視聴チャンネルの音声データを信号処理し、音声としてスピーカ部２１１，２１２へ出力する手段を備える。
【００２３】
次に、上述した印刷候補画像表示方法について説明する。ここではＡ，Ｂ，Ｃ，Ｄの４チャンネルから成る多チャンネル放送でユーザがチャンネルＡをモニタ画面で視聴しているという場面設定での表示方法の説明を行う。表示方法は、同時刻表示、時間送り表示、及び時間戻し表示という３つの方法が基本となる。
【００２４】
同時刻表示とは、ユーザが印刷候補画像表示指示を出した瞬間に多チャンネル放送を構成するすべてチャンネル映像をキャプチャして表示する方法である。同時刻表示の例を図３に示す。
【００２５】
図３では、ユーザが印刷候補画像表示指示を出した時刻Ｔ０にＡ，Ｂ，Ｃ，Ｄすべてのチャンネル映像のキャプチャ画像をチャンネルＡの映像上に重ねて表示している。
【００２６】
次に、時間送り表示とは、１．多チャンネル放送を構成するチャンネルＡ，Ｂ，Ｃ，Ｄの中から、ユーザが印刷候補画像表示指示を出した瞬間の所定のチャンネル映像をキャプチャした画像を表示し、２．一つ前に表示した画像をキャプチャした時刻から所定時間経過後に所定のチャンネル映像キャプチャ画像を表示し、３．画面に表示される印刷候補画像の枚数が所定枚になるまで２．を繰り返す表示方法である。時間送り表示の例を図４及び図５に示す。
【００２７】
図４では、印刷候補画像表示枚数を４とし、すべてチャンネルＡの映像をキャプチャすると設定した場合、ユーザが印刷候補画像表示指示を出した瞬間（Ｔ＝Ｔ０）にチャンネルＡの映像をキャプチャした画像と、ユーザが印刷候補画像表示指示を出した瞬間から時間間隔ＴＣ経過するごと（Ｔ＝Ｔ０＋ＴＣ，Ｔ＝Ｔ０＋２ＴＣ，Ｔ＝Ｔ０＋３ＴＣ）にチャンネルＡの映像をキャプチャした画像の計４枚の印刷候補画像をチャンネルＡの映像上に重ねて表示している。図４の表示方法は、ユーザが多チャンネル放送でなく普通の放送視聴時でも使用可能である。
【００２８】
図５では、印刷候補画像表示枚数を４とし、チャンネルをＤ，Ｃ，Ｂ，Ａの順にキャプチャすると設定した場合、ユーザが印刷候補画像表示指示を出した瞬間（Ｔ＝Ｔ０）のチャンネルＤの映像をキャプチャした画像と、ユーザが印刷候補画像表示指示を出した瞬間から時間間隔ＴＣ経過するごと（Ｔ＝Ｔ０＋ＴＣ，Ｔ＝Ｔ０＋２ＴＣ，Ｔ＝Ｔ０＋３ＴＣ）にチャンネルＣの映像をキャプチャした画像、チャンネルＢの映像をキャプチャした画像、チャンネルＡの映像をキャプチャした画像の順で１枚ずつ計４枚の印刷候補画像をチャンネルＡの映像に重ねて表示している。
【００２９】
次に、時間戻し表示とは、１．多チャンネル放送を構成するチャンネルＡ、Ｂ，Ｃ，Ｄの中から、ユーザが印刷候補画像表示指示を出した瞬間の所定のチャンネル映像のキャプチャ画像を表示し、２．一つ前に表示した画像をキャプチャした時刻から所定時間前の、所定のチャンネル映像キャプチャ画像を表示し、３．画面に表示される印刷候補画像の枚数が所定枚になるまで２．を繰り返す表示方法である。時間戻し表示の例を図６に示す。
【００３０】
図６では、印刷候補画像表示枚数を５とし、チャンネルをＣ，Ａ，Ｂ，Ｄ，Ｄの順にキャプチャすると設定した場合、ユーザが印刷候補画像表示指示を出した瞬間のチャンネルＣの映像をキャプチャした画像と、チャンネルＡの映像をキャプチャした画像、チャンネルＢの映像をキャプチャした画像、チャンネルＤの映像をキャプチャした画像、チャンネルＤの映像をキャプチャした画像の順でユーザが印刷候補画像表示指示を出した瞬間から時間間隔ＴＣ戻るごとに１枚ずつ計５枚の印刷候補画像をチャンネルＡの映像に重ねて表示している。
【００３１】
時間送り表示、時間戻し表示では、時間の古い画像から新しい画像へ順序を整理し、設定によって、画像をモニタ画面の右または左から配置して表示する。ここで「所定」という言葉を使用した部分は、すべて印刷候補画像表示指示を出す前に、ユーザインターフェース部２０６から設定することができる。
【００３２】
また、ここで設定された値は、画像表示出力設定記憶部２０７に記憶され、設定の変更がなければ、前回の表示方法と同じように表示する。さらに、表示中の印刷候補画像の中で、一つの画像の時間的に前後した画像を表示するように指示した場合、その他の印刷候補画像も同期して時間的に前後した画像を表示する。
【００３３】
図７及び図８は、図１のデジタルテレビ１０２において多チャンネル放送を視聴してキャプチャ画像を出力するまでの処理を示すフローチャートである。
【００３４】
まず、図７を用いてテレビ放送の受信からキャプチャ画像記憶までの処理を説明する。
【００３５】
図７において、ステップ７０１では、ユーザの指示を受けて、ユーザが視聴するチャンネルのテレビ放送データを受信する。次に、ステップ７０２では、復号部２０３において、テレビ放送データを映像データ、音声データ、その他のデータに分離し、各データを復号する（復号処理）。
【００３６】
ステップ７０３では、復号部２０３において、その他データ中から、ユーザ視聴チャンネルが多チャンネル放送を構成するチャンネルの中の一つなのかを判断する。この判断の結果、多チャンネル放送を構成するチャンネルの中の一つならば、ステップ７０４に進み、そうでないときはステップ７０７に進む。
【００３７】
ステップ７０４では、その他のデータの中から、多チャンネル放送を構成するすべてのチャンネル情報を取得する。その情報はチューナ部２０２に送り返す。ステップ７０５では、復号部２０３から受けた多チャンネル放送を構成するすべてのチャンネル情報から、多チャンネル放送を構成するすべてのチャンネルのテレビ放送データを受信する。
【００３８】
ステップ７０６では、ユーザ視聴チャンネルが多チャンネル放送ならば、多チャンネル放送を構成するすべてのチャンネルのテレビ放送データを、映像データ、音声データ、その他のデータに分離し、各データを復号する。ユーザ視聴チャンネルが多チャンネル放送でないならば、ユーザ視聴チャンネルのテレビ放送データのみ、映像データ、音声データ、その他のデータに分離し、各データを復号する。
【００３９】
ステップ７０７では、ステップ７０６で復号される、１つあるいは複数のチャンネルの映像データから画像を連続的に生成する。ステップ７０８では、ステップ７０７で生成された画像を記憶して、ステップＳ７０３に戻る。
【００４０】
次に、図８を用いて画像出力までの処理を説明する。
【００４１】
図８において、ステップ８０１では、ユーザから印刷候補画像表示指示があるかを判断し、指示ある場合はステップ８０２へ進む。指示がない場合は、指示を待つ。
【００４２】
ステップ８０２では、あらかじめ設定された印刷候補画像表示方法が時間送り表示であるかを判断する。この判断の結果、時間送り表示の場合はステップ８０３へ進み、時間送り表示でない場合はステップ８０４へ進む。
【００４３】
ステップ８０３では、ユーザが時間送り表示を指示した瞬間は、所定時間経過後の画像は生成されていないので、表示に必要な所定枚の画像が生成されているかを判断する。この結果、表示に必要な画像が生成されている場合は、ステップ８０４に進む。一方、表示に必要な画像が生成されていない場合は、ステップ８０３で表示に必要な画像が生成されるまで待機する。
【００４４】
次に、ステップ８０４では、あらかじめ設定された印刷候補画像表示方法にしたがって、必要な画像を画像記憶部２０５からとりだして印刷候補画像として表示する。
【００４５】
ステップ８０５では、印刷候補画像の中からユーザに指示された画像を印刷画像出力部２１３から出力して、本処理を終了する。
【００４６】
上記実施の形態によれば、デジタルテレビ１０２により多チャンネル放送を受信してユーザが所定のチャンネルをモニタ画面で視聴している際に、ユーザが印刷候補画像表示指示を出した瞬間に、予め設定された印刷候補画像表示方法に基づいて、ユーザ視聴チャンネルを含む多チャンネル放送を構成するチャンネル映像からキャプチャされた複数の画像を、ユーザ視聴チャンネルの映像と共に表示部２０９に表示するので、多チャンネル放送により受信した複数のチャンネル映像の中から所望の画像を容易にキャプチャすることができ、その画像をプリンタ１０３に出力して印刷することができる。例えば、ある場面の映像を複数のチャンネルによってさまざまな角度から同時に多チャンネル放送しているとき、１つの映像を見ながら、複数映像を簡単にキャプチャし画像を出力することが可能になる。その結果、映像の中の決定的な瞬間を印刷することができる。
【００４７】
上記実施の形態では、デジタルテレビ１０２においてテレビ映像のキャプチャ画像を出力する場合を説明したが、他の実施の形態として、図９に示すように不審人物をさまざまな角度から撮影できるように設置された複数の監視カメラ９０１〜９０５からの映像をキャプチャし、そのキャプチャ画像を出力するシステムも考えられる。この実施の形態では、印刷候補画像の表示方法として、図１０に示すように、どこに配置された監視カメラからの画像であるかをユーザが容易に判断できるように、表示する画像中の被写体の向きに合わせて画像を配置するようにしてもよい。
【００４８】
本発明の目的は、上記実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００４９】
この場合、記憶媒体から読み出されたプログラムコード自体が上述した実施の形態の機能を実現することになり、そのプログラムコードを記憶した記憶媒体は本発明を構成することになる。
【００５０】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００５１】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれる。
【００５２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれる。
【図面の簡単な説明】
【００５３】
【図１】本発明の実施の形態に係る印刷画像出力装置を備えるシステムの全体構成を示す概略図である。
【図２】図１のデジタルテレビ１０２の内部構成を示す図である。
【図３】デジタルテレビ１０２におけるキャプチャ画像の同時刻表示の例を示す図である。
【図４】デジタルテレビ１０２におけるキャプチャ画像の時間送り表示の例を示す図である。
【図５】デジタルテレビ１０２におけるキャプチャ画像の時間送り表示の他の例を示す図である。
【図６】デジタルテレビ１０２におけるキャプチャ画像の時間戻し表示の例を示す図である。
【図７】デジタルテレビ１０２におけるキャプチャ画像の出力処理を示すフローチャートである。
【図８】デジタルテレビ１０２におけるキャプチャ画像の出力処理を示すフローチャートである。
【図９】本発明の他の実施形態の概略を示す図である。
【図１０】図９の他の実施形態におけるキャプチャ画像の表示方法を説明する図である。
【符号の説明】
【００５４】
１０１  放送局
１０２  デジタルテレビ
１０３  プリンタ
２０１  テレビ放送データ受信部
２０２  チューナ部
２０３  復号部
２０３  画像生成部
２０６  ユーザインターフェース部
２０８  映像データ処理部
【図１】
2006197031.tif 000003
【図２】
2006197031.tif 000004
【図３】
2006197031.tif 000005
【図４】
2006197031.tif 000006
【図５】
2006197031.tif 000007
【図６】
2006197031.tif 000008
【図７】
2006197031.tif 000009
【図８】
2006197031.tif 000010
【図９】
2006197031.tif 000011
【図１０】
2006197031.tif 000012